(57)【要約】      （修正有）【課題】簡単な構造で安価にトイレットペーパーの先端を折り曲げることができるトイレットペーパーホルダーを提供する。【解決手段】上蓋１３の下にトイレットペーパーの先端部を三角形状に折り曲げるための定規１７を備える。定規１７の下側近傍には、トイレットペーパーの両端部を内側に折り込むように回動する一対の折込手段２２が配設されている。折込手段２２は、側面体１２の側に退避して固定されており、上蓋１３を押し下げることにより、この固定が解除され、内側に回動するようになっている。【選択図】図２
0003165901.tif 000002
【実用新案登録請求の範囲】
【請求項１】
ロール状のトイレットペーパーを回転可能に支持する支持手段と、
この支持手段により支持されたトイレットペーパーの上方を覆い、少なくとも一部を下方に押し下げることが可能な上蓋と、
この上蓋の下方に配設され、トイレットペーパーの引き出し方向に向かって中央部が突出するように幅が狭くなる三角状部を有する定規と、
この定規を定位置からトイレットペーパーの引き出し方向に移動させると共に、移動させた定規を定位置に戻す移動手段と、
前記定規が定位置にある時に、前記定規の先端を持ち上げて浮かせる持上手段と、
前記上蓋の内側において、前記定規が定位置にある時に前記三角状部の両脇に対応する位置に、トイレットペーパーの幅方向における両端部を前記定規よりも下方に押し下げるように下側に突出して配設された一対の押下部材と、
前記押下部材により押し下げられたトイレットペーパーの両端部を前記定規の下方に向って折り込むように回動する一対の折込手段と、
前記一対の折込手段をトイレットペーパーの両側に退避させて固定する退避固定手段と、
前記上蓋の内側において下側に突出して配設され、前記上蓋を押し下げることにより前記退避固定手段による前記折込手段の固定を解除する固定解除部材と、
前記移動手段に連動して、前記定規をトイレットペーパーの引き出し方向に移動させる際に、前記一対の折込手段をトイレットペーパーの両側に退避させる退避手段と、
前記定規が定位置に戻る際に、トイレットペーパーの逆送を防止する逆送防止手段と
を備えたことを特徴とするトイレットペーパーホルダー。
【請求項２】
前記上蓋の内側において、前記一対の折込手段が回動する軌道に対応する位置に、下側に突出して配設され、前記上蓋が押し下げられた時に下に移動して、前記一対の折込手段が回動してトイレットペーパーを折り込むことを停止する一時停止部材を備えたことを特徴とする請求項１記載のトイレットペーパーホルダー。
【請求項３】
前記一対の折込手段との間に折り込まれたトイレットペーパーを挟んで保持する挟持手段を備えたことを特徴とする請求項１または請求項２記載のトイレットペーパーホルダー。
【考案の詳細な説明】
【技術分野】
【０００１】
本考案は、トイレットペーパーの端部を三角形状に折り曲げることができるトイレットペーパーホルダーに関する。
【背景技術】
【０００２】
トイレットペーパーホルダーとしては、一般に、トイレットペーパーを回転自在に支持する支持具と、トイレットペーパーを覆うカバーとを有し、トイレットペーパーの端部を引き出してカバー先端で切り取って使用するようにしたものが用いられている。しかし、このようなトイレットペーパーホルダーでは、トイレットペーパーを切り取った後の端部がカバーの下に隠れてしまい、次に使用する際に引き出しにくいという問題があった。そこで、トイレットペーパーを切り取った後に、端部を自動的に三角形状に折り畳み、供給することができる折り畳み装置が提案されている（例えば、特許文献１参照）。
【先行技術文献】
【特許文献】
【０００３】
【特許文献１】特開平６−１６９８５６号公報
【考案の概要】
【考案が解決しようとする課題】
【０００４】
特許文献１に記載の折り畳み装置によれば、トイレットペーパーの切り取りを切取検知器により検知すると、ペーパー折込機構によって先端を所定形状に折り込み、ペーパー送り機構により先端を所定位置まで送り込むことができるが、構造が複雑で、コスト高であるという問題があった。
【０００５】
本考案は、このような問題に基づきなされたものであり、簡単な構造で安価にトイレットペーパーの先端を折り曲げることができるトイレットペーパーホルダーを提供することを目的とする。
【課題を解決するための手段】
【０００６】
本考案のトイレットペーパーホルダーは、ロール状のトイレットペーパーを回転可能に支持する支持手段と、この支持手段により支持されたトイレットペーパーの上方を覆い、少なくとも一部を下方に押し下げることが可能な上蓋と、この上蓋の下方に配設され、トイレットペーパーの引き出し方向に向かって中央部が突出するように幅が狭くなる三角状部を有する定規と、この定規を定位置からトイレットペーパーの引き出し方向に移動させると共に、移動させた定規を定位置に戻す移動手段と、定規が定位置にある時に、定規の先端を持ち上げて浮かせる持上手段と、上蓋の内側において、定規が定位置にある時に三角状部の両脇に対応する位置に、トイレットペーパーの幅方向における両端部を定規よりも下方に押し下げるように下側に突出して配設された一対の押下部材と、押下部材により押し下げられたトイレットペーパーの両端部を定規の下方に向って折り込むように回動する一対の折込手段と、一対の折込手段をトイレットペーパーの両側に退避させて固定する退避固定手段と、上蓋の内側において下側に突出して配設され、上蓋を押し下げることにより退避固定手段による折込手段の固定を解除する固定解除部材と、移動手段に連動して、定規をトイレットペーパーの引き出し方向に移動させる際に、一対の折込手段をトイレットペーパーの両側に退避させる退避手段と、定規が定位置に戻る際に、トイレットペーパーの逆送を防止する逆送防止手段とを備えたものである。
【０００７】
このトイレットペーパーホルダーでは、トイレットペーパーを支持手段により支持し、トイレットペーパーの長手方向の先端部を定規と上蓋との間を通して引き出す。トイレットペーパーを切り取る際には、トイレットペーパーの先端部を引き出し、上蓋を押し下げて、上蓋に沿って切り取る。トイレットペーパーホルダーの内側では、上蓋を押し下げると、固定解除部材により退避固定手段による折込手段の固定が解除され、折込手段が回動して、押下部材により押し下げられたトイレットペーパーの両端部が定規の下方に向って折り込まれる。次いで、移動手段により、定規をトイレットペーパーの引き出し方向に移動させると、三角形状に折り曲げられたトイレットペーパーの先端部が上蓋よりも外側に引き出される。また、これに連動して、退避手段により折込手段がトイレットペーパーの両側に退避される。その後、逆送防止手段によりトイレットペーパーの逆送を防止しつつ、移動手段により定規を定位置に戻す。
【考案の効果】
【０００８】
本考案のトイレットペーパーホルダーによれば、上蓋を押し下げて、固定解除部材により折込手段の固定を解除し、折込手段を回動させて、押下部材により押し下げられたトイレットペーパーの両端部を定規の下方に向って折り込むようにしたので、トイレットペーパーの先端部を切り取る時に上蓋を押し下げるだけで、簡単にトイレットペーパーを折り込むことができる。また、移動手段により定規をトイレットペーパーの引き出し方向に移動させると共に、折込手段をトイレットペーパーの両側に退避させるようにしたので、移動手段を操作するだけで、簡単にトイレットペーパーの折り曲げた先端部を引き出し、かつ、折込手段を退避させることができる。よって、簡単な構成で簡単にトイレットペーパーの先端部を折り曲げることができ、価格も安価とすることができる。
【０００９】
また、折込手段が回動してトイレットペーパーを折り込むことを停止する一時停止部材を備えるようにすれば、または、折込手段との間に折り込まれたトイレットペーパーを挟んで保持する挟持手段を備えるようにすれば、よりきれいにトイレットペーパーを折り曲げることができる。
【図面の簡単な説明】
【００１０】
【図１】本発明の一実施の形態に係るトイレットペーパーホルダーの外観構成を表す斜視図である。
【図２】図１に示したトイレットペーパーホルダーの内側の構成を表す斜視図である。
【図３】図１に示したトイレットペーパーホルダーを側面から見た内部構成について一部を取り出して表す図である。
【図４】図１に示したトイレットペーパーホルダーの構成を表す断面図である。
【図５】図１に示したトイレットペーパーホルダーを上から見た内側の構成を表す図である。
【図６】図１に示したトイレットペーパーホルダーを上から見た構成を表す図である。
【図７】図１に示したトイレットペーパーホルダーにトイレットペーパーを取り付ける手順を表す図である。
【考案を実施するための形態】
【００１１】
以下、本考案の実施の形態について、図面を参照して詳細に説明する。
【００１２】
図１は、本考案の一実施の形態に係るトイレットペーパーホルダー１の外観構成を表すものであり、図２は、トイレットペーパーホルダー１の内側の構成を表すものであり、図３は、トイレットペーパーホルダー１を側面から見た内部構成について一部の構成要素を取り出して表すものであり、図４は、トイレットペーパーホルダー１の断面構成の一部を表すものであり、図５は、トイレットペーパーホルダー１を上から見た内側の構成を取り出して表すものであり、図６は、トイレットペーパーホルダー１を上から見た構成を表すものである。このトイレットペーパーホルダー１は、ロール状のトイレットペーパーＭを回転させて引き出すことができるように保持するものであり、例えば、壁などに取り付けるための背面板１１と、背面板１１に対して配設され、トイレットペーパーＭの側面を覆う一対の側面体１２と、背面板１１に対して配設され、トイレットペーパーＭの上方を覆う上蓋１３とを備えている。
【００１３】
側面体１２は、下側において背面板１１に対して回動可能に取り付けられている。側面体１２の上側は、背面板１１に対して着脱手段１４（図３参照）により着脱可能に固定され、前側に倒すことができるようになっている。着脱手段１４は、例えば、磁石などによる磁力を利用して着脱することができるように構成されている。側面体１２の外側には、取っ手１５が設けられており、取っ手１５を持って側面体１１の上側を前側に倒すことができるようになっている。取っ手１５は、両方の側面体１２に設けてもよく、片方の側面体１２に設けるようにしてもよい。一対の側面体１２の内側には、トイレットペーパーＭを回転可能に支持する一対の支持手段１６が対向方向に向かって突出するようにそれぞれ設けられている。支持手段１６は、例えば、ばねなどにより倒すことができるように構成されており、これによりトイレットペーパーＭを着脱することができるようになっている。
【００１４】
上蓋１３は、背面板１１に対して回動可能に取り付けられた支持蓋部１３Ａと、支持蓋部１３Ａに対して蝶番などにより下側に向かって回動可能に取り付けられた押圧蓋部１３Ｂとを有している。支持蓋部１３Ａは、幅方向における両端部が一対の側面体１２の上端部に当接することにより支持されている。押圧蓋部１３Ｂは、支持蓋部１３Ａと押圧蓋部１３Ｂとに掛け渡して配設された板ばね１３Ｃにより支持されており、押し下げられた状態からもとに戻ることができるようになっている。押圧蓋部１３Ｂの先端部近傍には、押圧した際に先端部が当接する当接部材１２Ａが設けられている。当接部材１２Ａの両端部は、一対の側面体１２に対して配設されている。支持蓋部１３Ａの背面板１１に対する取り付け部には、支持蓋部１３Ａを上方に向かって付勢するばねなどの付勢部材１３Ｄが配設されており、支持蓋部１３Ａは蓋固定部材１３Ｅにより、側面体１２に対して着脱可能に固定されている（図４参照）。蓋固定部材１３Ｅは、例えば、磁石などによる磁力を利用して着脱することができるように構成されている。支持蓋部１３Ａの側面体１２の近傍には、先端側に向かって傾斜して突出された傾斜突起部１３Ｆが設けられており、その背面板１１の側の近傍には、側面体１２に対して配設された突起部１２Ｂが設けられている（図４参照）。これにより、側面体１２を前に倒すと、突起部１２Ｂが傾斜突起部１３Ｆに当たり、支持蓋部１３Ａを上方に持ち上げて、蓋固定部材１３Ｅによる固定が解除され、付勢部材１３Ｄにより上蓋１３が開くようになっている。
【００１５】
上蓋１３の下方には、トイレットペーパーＭの先端部を三角形状に折り曲げるための定規１７が配設されている。定規１７は、トイレットペーパーＭの引き出し方向に向かって中央部が突出するように幅が狭くなる三角状部１７Ａを有している。定規１７の後端部は、定規芯１７Ｂに対して回動可能に配設されている。定規芯１７Ｂは、一対の側面体１２にそれぞれ回動可能に配設された一対の移動手段１８（図３参照）の上端部に対して、両端部がそれぞれ固定されている。移動手段１８は、回動することにより定規１７を定位置からトイレットペーパーＭの引き出し方向に移動させるものである。一対の移動手段１８の下端部には、それらを連結する連結部材１８Ａが配設されている。移動手段１８には、また、上端側をトイレットペーパーＭの引き出し方向とは逆方向に付勢するばねなどの付勢部材１８Ｂが配設されており、定位置からトイレットペーパーＭの引き出し方向に移動された定規１７を定位置に戻すことができるようになっている。定規１７は、定位置にある時に、先端が持上手段１９により持ち上げられて浮いた状態となっている。トイレットペーパーＭの先端部を折り曲げやすくするためである。持上手段１９は、例えば、磁石などによる磁力を利用して持ち上げるように構成されており、定規１７の三角状部１７Ａの下側と、その下方とに、互いに反発する極を対向させた一対の磁石１９Ａがそれぞれ配設されている。
【００１６】
定規１７の上側には、トイレットペーパーＭの引き出し方向に移動された定規１７が定位置に戻る際に、トイレットペーパーＭの逆送を防止する逆送防止手段２１が配設されている。逆送防止手段２１は、後端部において一対の側面体１２に対して回動可能に配設されており、先端部の一部は定規１７と接触している。逆送防止手段２１は、トイレットペーパーＭを支えて、トイレットペーパーＭと定規１７との接触を少なくし、逆送を防止するようになっている。定規１７の下側近傍には、トイレットペーパーＭの両端部を定規１７の下方に向って内側に折り込むように回動する一対の折込手段２２が配設されている（図５参照）。折込手段２２は、例えば、一方向に伸長されており、一端部が側面体１２に対して回動可能に配設され、他端部が側面体１２の側から内側に向かい定規１７の下側近傍まで回動するように構成されている。折込手段２２の一端部には、他端部を側面体１２の側から内側に向かって付勢するばねなどの付勢部材２２Ａと、折込手段２１を上方に向かって付勢するばねなどの付勢部材２２Ｂとが配設さている（図４参照）。定規１７の下側近傍には、また、折り込まれたトイレットペーパーＭを一対の折込手段２２との間に挟んで保持する一対の挟持手段２３が配設されていることが好ましい。挟持手段２３は、例えば、ばね２３Ａなどにより折込手段２１の方向に力を加えることができるように構成されていることが好ましい。
【００１７】
折込手段２２は、側面体１２に設けられた配設凹部１２Ｃに対して配設され、一部が収納されるようになっている。配設凹部１２Ｃには、折込手段２２をトイレットペーパーＭの両側に退避させて固定する退避固定手段２４が配設されている（図４および図５参照）。退避固定手段２４は、例えば、配設凹部１２Ｃの上側に折込手段２２の一部が接触するように磁石を配設し、磁力により折込手段２２を固定するようにしてもよく、ばねなどにより折込手段２２を挟み込んで固定するようにしてもよい。折込手段２２には、定規１７の近傍に回動した他端部を側面体１２の側に戻し、折込手段２２をトイレットペーパーＭの両側に退避させる退避手段２５が配設されている。退避手段２５は、例えば、折込手段２２から突出するように設けられた棒状部材２５Ａと、棒状部材２５Ａを押して折込手段２２を回動させる押圧部２５Ｂとを有している。押圧部２５Ｂは、定規芯１７Ｂに対して配設され、移動手段１８に連動して、定規１７をトイレットペーパーＭの引き出し方向に移動させる際に棒状部材２５Ａを押して、折込手段２２を退避させるようになっている。
【００１８】
折込手段２２の上側近傍には、折込手段２２を下方に押すことにより退避固定手段２４による折込手段２２の固定を解除する一対の固定解除部材２６が設けられている。固定解除部材２６は、押圧蓋体１３Ｂの内側に、下側に突出して配設されており、押圧蓋体１３Ｂを下方に押し下げることにより、折込手段２２の他端部側を下方に押し下げ、磁石またはばねなどによる固定から解除するようになっている（図４および図６参照）。押圧蓋体１３Ｂの内側には、また、固定を解除された一対の折込手段２２が回動してトイレットペーパーＭを折り込むことを一時的に停止する一対の一時停止部材２７が設けられていることが好ましい。トイレットペーパーＭの先端部の切断が終了する前に折込手段２２が回動すると、トイレットペーパーＭをきれいに折り込むことができない場合があるからである。一時停止部材２７は、固定解除部材２６よりも定規１７の側において、折込手段２２が回動する軌道に対応する位置に、下側に突出して配設されている（図４および図６参照）。一時停止部材２７は、押圧蓋体１３Ｂが下方に押し下げられることにより、折込手段２２の回動軌道まで押し下げられて回動を停止し、押圧蓋体１３Ｂの押圧が停止されると、上方に移動して折込手段２２の回動停止を解除するようになっている。
【００１９】
押圧蓋体１３Ｂの内側には、更に、トイレットペーパーＭの両端部を定規１７よりも下方に押し下げる一対の押下部材２８が設けられている。押下部材２８は、一時停止部材２７よりも定規１７の側において、定規１７が定位置にある時に三角状部１７Ａの両脇に対応する位置に、下側に突出して配設されている（図４および図６参照）。これにより、トイレットペーパーＭの両端部が定規１７よりも下方に押し下げられ、折込手段２２は、押下部材２８により押し下げられたトイレットペーパーＭの両端部を折り込むように回動するようになっている。
【００２０】
このトイレットペーパーホルダー１は次のようにして用いられる。図７は、トイレットペーパーホルダー１にトイレットペーパーＭを取り付ける手順を表すものである。このトイレットペーパーホルダー１では、図７（Ａ）に示したように、まず、取っ手１５を持って側面体１２の上側を前に倒す。その際、突起部１２Ｂが傾斜突起部１３Ｆに当たり、上蓋１３が持ち上げられ、蓋固定部材１３Ｅによる固定が解除されて、付勢部材１３Ｄにより上蓋１３が開く。次いで、図７（Ｂ）に示したように、トイレットペーパーＭを一対の側面体１２の間に挿入して、支持手段１６に取り付け、トイレットペーパーＭの先端部は、逆送防止手段２１および定規１７の上に乗せる。その後、図７（Ｃ）に示したように、側面体１２の上側を背面板１１に固定し、上蓋１３を閉める。これにより、トイレットペーパーＭは支持手段１６により支持され、長手方向の先端部が逆送防止手段２１および定規１７と上蓋１３との間を通して引き出されて取り付けられる。
【００２１】
また、トイレットペーパーＭを切り取る際には、トイレットペーパーＭの先端部を引き出し、上蓋１３の押圧蓋体１３Ｂを押し下げて、上蓋１３に沿って切り取る。トイレットペーパーホルダー１の内側では、押圧蓋体１３Ｂを押し下げると、固定解除部材２６が押し下げられて折込手段２２の他端部を押し下げ、退避固定手段２４よる固定が解除される。また、押圧蓋体１３Ｂを押し下げると、一時停止部材２７も押し下げられるので、折込手段２２は一時停止部材２７に当接して、回動が停止する。更に、押圧蓋体１３Ｂを押し下げると、押下部材２８も押し下げられるので、トイレットペーパーＭの両端部が定規１７よりも下方に押し下げられる。
【００２２】
次いで、押圧蓋体１３Ｂの押し下げを止めると、押圧蓋体１３Ｂは、板ばね１３Ｃにより上方に持ち上げられ、固定解除部材２６、一時停止部材２７および押圧部材２８も上方に移動する。これにより、折込手段２２の他端部が内側に向かって回動し、押下部材２８により押し下げられたトイレットペーパーＭの両端部を内側に折り込む。続いて、移動手段１８を動かして、定規１７をトイレットペーパーＭの引き出し方向に移動させる。これにより、三角形状に折り曲げられたトイレットペーパーＭの先端部が上蓋１３よりも外側に引き出される。また、これに連動して、退避手段２５により折込手段２２がトイレットペーパーＭの両側に退避される。その後、移動手段１８に力を加えることを止めると、付勢部材１８Ｂにより移動手段１８がもとの位置に戻り、定規１７が定位置に戻る。その際、トイレットペーパーＭの先端部は、逆送防止手段２１により逆送が防止されて上蓋１３よりも外側に引き出された状態となる。
【００２３】
このように本実施の形態のトイレットペーパーホルダー１によれば、上蓋１３を押し下げて、固定解除部材２６により折込手段２２の固定を解除し、折込手段２２を回動させて、押下部材２８により押し下げられたトイレットペーパーＭの両端部を定規の下方に向って折り込むようにしたので、トイレットペーパーＭの先端部を切り取る時に上蓋１３を押し下げるだけで、簡単にトイレットペーパー折り込むことができる。また、移動手段１８により定規１７をトイレットペーパーＭの引き出し方向に移動させると共に、折込手段２２をトイレットペーパーＭの両側に退避させるようにしたので、移動手段１８を操作するだけで、簡単にトイレットペーパーＭの折り曲げた先端部を引き出し、かつ、折込手段２２を退避させることができる。よって、簡単な構成で簡単にトイレットペーパーＭの先端部を折り曲げることができ、価格も安価とすることができる。
【００２４】
また、折込手段２２が回動してトイレットペーパーＭを折り込むことを停止する一時停止部材２７を備えるようにすれば、または、折込手段２２との間に折り込まれたトイレットペーパーを挟んで保持する挟持手段２３を備えるようにすれば、よりきれいにトイレットペーパーＭを折り曲げることができる。
【００２５】
以上、実施の形態を挙げて本考案を説明したが、本考案は上記実施の形態に限定されるものではなく、種々変形可能である。例えば、上記実施の形態では、上蓋１３の一部を下方に押し下げることができるようにしたが、上蓋１３の全体を下方に押し下げることができるようにしてもよい。
【産業上の利用可能性】
【００２６】
トイレットペーパーを取り付けて使用する際に用いることができる。
【符号の説明】
【００２７】
１…トイレットペーパーホルダー、１１…背面板、１２…側面体、１２Ａ…当接部材、１２Ｂ…突起部、１２Ｃ…配設凹部、１３…上蓋、１３Ａ…支持蓋体、１３Ｂ…押圧蓋体、１３Ｃ…板ばね、１３Ｄ…付勢部材、１３Ｅ…蓋固定部材、１３Ｆ…傾斜突起部、１４…着脱手段、１５…取っ手、１６…支持手段、１７…定規、１７Ａ…三角状部、１７Ｂ…定規芯、１８…移動手段、１８Ａ…連結部材、１８Ｂ…付勢部材、１９…持上手段、１９Ａ…磁石、２１…逆送防止手段、２２…折込手段、２２Ａ，２２Ｂ…付勢部材、２３…挟持手段、２３Ａ…ばね、２４…退避固定手段、２５…退避手段、２５Ａ…棒状部材、２５Ｂ…押圧部、２６…固定解除部材、２７…一時停止部材、２８…押下部材
【図１】
0003165901.tif 000003
【図２】
0003165901.tif 000004
【図３】
0003165901.tif 000005
【図４】
0003165901.tif 000006
【図５】
0003165901.tif 000007
【図６】
0003165901.tif 000008
【図７】
0003165901.tif 000009